(57)【特許請求の範囲】
【請求項１】
少なくとも気体が透過できる内管と、該内管を内部に配設した外管とを使用する特定の気体を検知する方法であって、
前記内管の内部には、該内管の内径より小径の棒体を配設させると共に、該棒体と内管壁との間に前記特定の気体を吸収させる液体を収納し、前記内管と前記外管との間隙に空気を導入して、前記液体に前記特定の気体を吸収させて該気体の存在及び濃度を検知すること
を特徴とする気体検知方法。
【請求項２】
前記棒体は、
樹脂製またはガラス製であること
を特徴とする請求項１に記載の気体検知方法。
【請求項３】
少なくとも気体が透過できる内管と、該内管を内部に配設した外管とを使用する特定の気体を検知する装置であって、
前記内管の内部には、該内管の内径より小径の棒体を配設させると共に、該棒体と内管壁との間に前記特定の気体を吸収させる液体を収納する手段と、前記内管と前記外管との間隙に空気を導入する手段と、前記液体に前記特定の気体を吸収させて該気体の存在及び濃度を検知する手段とを備えたこと
を特徴とする気体検知装置。
【請求項４】
前記棒体は、
樹脂製またはガラス製であること
を特徴とする請求項３に記載の気体検知装置。
【発明の詳細な説明】
【０００１】
【発明の属する技術分野】
本発明は、例えば、ホルムアルデヒト、アセトアルデヒト、アンモニア、二酸化硫黄、塩化水素、硝酸、メチルアミン、カルボン酸、二酸化窒素またはフッ化水素等の空気中に含有される特定の気体を検知する方法及び装置に関するものである。
【０００２】
【従来の技術】
従来、この種の気体を検知する装置としては、例えば、特開平１０−９０２４１号公報に開示された技術が公知になっており、このような装置は、一般的に拡散スクラバーと称されている。この公知の気体分析装置及び気体分析方法における発明は、気体の採取点を切り替えて測定する際に、装置の部品点数の増大を抑え、かつ短い測定周期で良好な応答性を得ることを目的としたものである。
【０００３】
この拡散スクラバーの具体的な構成は、外管の内部に気体透過膜チューブで作製された内管を挿入し、該内管内あるいは該内管と前記外管との間隙のいずれか一方の流路を分析対象気体の吸収液の流路とし、他方の流路を前記分析対象気体の流路として、前記吸収液に前記分析対象気体を吸収させるものである。
【０００４】
この特開平１０−９０２４１号公報の技術においては、前記分析対象気体を採取するために、貯留容器に前記吸収液として純水を貯留させておき、送液ポンプによって前記拡散スクラバーに連続的に前記吸収液を送液して導入し、別に用意した貯留容器から送液された溶離液によって前記分析対象気体を溶離させるようにしているものである。
【０００５】
また、従来使用されている拡散スクラバーは、長さが略１ｍ程度であり、該拡散スクラバーと、分析装置等とからなる装置の全体は、非常におおきなのもであって、携帯して使用するものではない。
【０００６】
【発明が解決しようとする課題】
しかしながら、この特開平１０−９０２４１号公報の技術においては、仮に前記分析対象気体を採取するだけであったとしても、前記のように、少なくとも貯留容器及び送液ポンプが必要であるために、装置の全体が非常に大きくなると共に、製造に必要なコストも多くなるものであり、また、前記吸収液が前記分析対象気体を吸収する感度が良くないために、測定に多大な時間を要するという問題を有する。
【０００７】
従って、拡散スクラバーによって気体を検知する場合に、装置の全体を小さくして製造に必要なコストを削減し、吸収液で気体を吸収する感度を良くするということに解決する課題を有する。
【０００８】
【課題を解決するための手段】
上記した従来例の課題を解決する具体的手段として本発明に係る第１の発明として、少なくとも気体が透過できる内管と、該内管を内部に配設した外管とを使用する特定の気体を検知する方法であって、前記内管の内部には、該内管の内径より小径の棒体を配設させると共に、該棒体と内管壁との間に前記特定の気体を吸収させる液体を収納し、前記内管と前記外管との間隙に空気を導入して、前記液体に前記特定の気体を吸収させて該気体の存在及び濃度を検知することを特徴とする気体検知方法を提供するものである。
【０００９】
この第１の発明において、前記棒体は、樹脂製またはガラス製であることを付加的な要件として含むものである。
【００１０】
また、本発明に係る第２の発明は、少なくとも気体が透過できる内管と、該内管を内部に配設した外管とを使用する特定の気体を検知する装置であって、前記内管の内部には、該内管の内径より小径の棒体を配設させると共に、該棒体と内管壁との間に前記特定の気体を吸収させる液体を収納する手段と、前記内管と前記外管との間隙に空気を導入する手段と、前記液体に前記特定の気体を吸収させて該気体の存在及び濃度を検知する手段とを備えたことを特徴とする気体検知装置を提供するものである。
【００１１】
この第２の発明において、前記棒体は、樹脂製またはガラス製であることを付加的な要件として含むものである。
【００１２】
本発明に係る気体検知方法は、気体が透過できる内管の内部に棒体を配設させると共に、該棒体と内管壁との間に特定の気体を吸収させる液体、即ち吸収液を収納し、前記内管と外管との間隙に空気を導入して、前記吸収液に特定の気体、即ち、目的とする採取する気体を吸収させて、該気体の存在及び濃度を検知することによって、吸収液で気体を吸収する感度を良くすることができるために、装置の全体を小さくすることができ、製造に必要なコストを削減することができ、且つ前記特定の気体の存在及び濃度を検知できるようになるのである。
【００１３】
【発明の実施の形態】
次に、本発明を具体的な実施の形態に基づいて詳しく説明する。
本発明に係る気体検知装置（拡散スクラバー）１の略示的な断面図を図１に示す。気体検知装置１は、気体が透過できる内管２と、外管３とからなり、内管２は外管３の内部に配設されている。
【００１４】
内管２と外管３とは、保持部材４ａ、４ｂによって保持されている。保持部材４ａ、４ｂのそれぞれの両端部には、Ｏリング５を配設させると共に、パッキン６ａ、６ｂ、６ｃ、６ｄを螺着させており、気体検知装置１の外部から外管３の内部に空気が入らないようにさせており、更に、気体検知装置１には、封止部材７ａ、７ｂを配設させることにより、外部から気体検知装置１の内部に空気が入らないようにさせている。
【００１５】
この内管２としては、例えば、略透明なテフロン（登録商標）またはポリエチレン等の材料を使用することが好ましく、内管２は、液体は通さないが、採取の目的とする気体を含む一部の気体が透過できる程度の大きさの孔が複数形成されており、いわゆる多孔質状に形成されている。
【００１６】
内管２の内部には、図示しない液体が収納されている。該液体は、例えば、バイアル瓶等の容器、または後述する接続タンク１６等に収納されており、これらの容器に収納された前記液体を気体検知装置１の一端部に配設させた連結部８に形成された液体路９より入れ、その後に液体路９を図示しない蓋等で閉じることによって、封止させる。また、前記液体を収納させた内管を、いわゆるカートリッジ状にして、これを取り外して交換できるようにさせても良い。
【００１７】
前記液体は、前記採取の目的とする気体、即ち、特定の気体を吸収（溶存）することができる液体（吸収液）であり、内管２から前記気体が透過されることによって、前記液体は前記気体を吸収することができるのである。
【００１８】
この液体としては、例えば、純水、または０．５％ホウ酸水溶液（ＡＨＴＭ法）、トリエタノールアミン水溶液（パラロザリニン法）、０．５％リン酸水溶液（インドフェノール法）、スルファニル酸−ナフチルエチレンジアミン酢酸水溶液（ザルツマン法）あるいは０．１Ｍ水酸化ナトリウム水溶液等の公定法で規定されるガスの吸収液等を使用することができる。
【００１９】
これらの純水、または公定法で規定されるガスの吸収液等を使用することによって、例えば、ホルムアルデヒト、アセトアルデヒト、アンモニア、二酸化硫黄、塩化水素、硝酸、メチルアミン、カルボン酸、二酸化窒素またはフッ化水素等の気体を吸収することができるのである。
【００２０】
外管３としては、例えば、ガラス管等を使用することが好ましく、外管３の一端部に空気の吸引口１０を設け、他端部に該空気の導入口１１を設けている。吸引口１０から空気を吸引する場合は、吸引口１０に配設したホースニップル１２に図示しないホース等を接続し、該ホースを介して図示しない吸引用のポンプ等によって吸引して、導入口１１から空気を導入させることができる。
【００２１】
この導入口１１には、ホースニップル１３を配設させてあるが、この場合は、ホースニップル１３に図示しないホース等を接続することによって、気体検知装置１とは離れた場所の空気を導入させることができるものである。そして、気体検知装置１の周囲の空気を導入させる場合は、単に導入口１１が設けられていれば良いため、必ずしもホースニップル１３は必要ではなく、また、導入口１１としては、要するに、吸引口１０の他端部側に１個または複数個形成させてあれば足りるのである。
【００２２】
このように、吸引口１０から吸引することによって、導入口１１から導入された空気は、内管２と外管３との間隙に導入されるようになる。この際に、前述のように、採取の目的とする気体を含む一部の気体が内管２の内部に透過することによって、内管２の内部に収納された前記採取の目的とする気体を吸収する液体に該気体を吸収させることができ、該気体を採取することができるようになるのである。
【００２３】
このようにして、前記空気を内管２の内部ではなく、内管２と外管３との間隙に導入させることによって、内管２を介して前記液体が前記気体と接触する面積を増加させることができるため、前記液体が前記気体を吸収する感度（吸収率）を高くすることができるのである。
【００２４】
また、一定の空気の量を吸引口１０から吸引する際に、吸引力を小さくする、即ち、ゆっくり吸引するようにすることによって、前記空気が内管２と外管３との間隙に導入されている時間が長くなることに伴って、前記特定の気体が前記液体に接触する時間を長くさせて、該液体が前記気体を吸収する感度（吸収率）を高くすることができるようになる。
【００２５】
そして、本発明に係る気体検知装置１においては、内管２の内部に、内管２の内径よりも小径の棒体１４を配設させるものである。この棒体１４としては、例えば、樹脂製またはガラス製の棒体等を使用することが好ましい。
【００２６】
このように、内管２の内部に棒体１４を配設させ、棒体１４と内管２の壁との間に前記特定の気体を吸収させる液体を収納させることによって、内管２の内部に収納する前記液体の量は減少するが、該液体と前記特定の気体とが接触する面積は同一であるために、前記気体が前記液体に吸収される量は略同一であり、そのため、前記液体が前記気体を吸収する感度を実質的に高くすることができるのである。
【００２７】
従って、内管２の内部に棒体１４を配設させることによって、前記液体の量を少なくさせることができると共に、前記液体が前記気体を吸収する感度を高くできるため、装置の全体を小さくした場合であっても、大きな測定装置と略同様の測定の精度を維持できるので、装置の全体を小さくさせることが可能になり、これによって、装置を小さくできると共に、貯留容器及び送液ポンプを使用する必要もないため、製造のコストを削減でき、且つ前記液体の量を少なくしたことによるコストも削減できるようになるのである。
【００２８】
更に、前記液体が前記気体を吸収する感度を高くすることによって、空気の吸引量を少なくさせることができ、装置の全体を小さくすることによって、前述のように空気をゆっくりと吸引させた場合であっても、吸引量が少なく、且つ装置が小さいので吸引時間を短くできる、要するに、特定の気体を採取する時間を短くできるようになるのである。
【００２９】
また、空気の吸引量が同一である場合には、内管２と外管３との間隙を狭くすることによって、空気の吸引量に対して、内管２を介して前記液体が前記気体と接触する面積を大きくすることができるため、より一層前記液体が前記気体を吸収する感度を高くすることができるようになるのである。
【００３０】
前記液体を気体検知装置１から容器１５に移し替えをする方法を説明するための、気体検知装置１と容器（バイアル瓶）１５との略示的な断面図を図２に示す。この容器１５は、内管２の内部に液体を収納させる以前に、該液体を収納していた容器であっても良く、このように前記液体を収納していた容器を使用する場合には、液体のコンタミネーションを防ぐことができる。
【００３１】
図２に示したように、気体検知装置１に移し替え用の接続タンク１６と容器１５とを液体路９に配設させた状態で、気体検知装置１の上下を反転させることによって、液体１７を簡単に移し替えて、容器（バイアル瓶）１５に収納させることができる。また、接続タンク１６の代わりに、単にテフロン（登録商標）等のチューブを接続させて、液体１７を移し替えても良い。
【００３２】
前記液体に吸収させた前記特定の気体の存在及び濃度を簡易比色計１８を用いて検知する方法を説明するための、簡易比色計１８の略示的な断面図を図３に示す。図３に示したように、前記特定の気体を採取した液体１７を収納した容器１５を簡易比色計１８に配設させて蓋１９をする。この際、容器１５に、前記気体によって発色する試薬等をあらかじめ入れておく、または測定の際に入れる等することによって、前記液体を発色させる。
【００３３】
簡易比色計１８には、例えば、ＬＥＤ２０と光センサー２１とを配設させており、ＬＥＤ２０の光を容器１５を介して前記発色した液体に透過させ、その透過した光を光センサー２１で読み取ることによって、前記特定の気体の存在及び濃度を検知できる。そのため、容器１５としては、透明な材料であることが良く、例えば、バイアル瓶または透明なガラス製の容器等を使用することが好ましい。
【００３４】
この簡易比色計１８は、一般的に使用されている簡易比色計であっても、容器１５の大きさに合わせて作製したものであっても良い。また、光センサー２１としては、例えば、ＣｄＳ等を使用することができる。
【００３５】
このように、簡易比色計１８を用いて前記特定の気体の存在及び濃度を検知（測定）することによって、前記液体を収容した容器１５を持ち帰って測定するのではなく、採取した現場ですぐに測定することができるようになるため、測定が簡単になると共に、前記液体の時間による変化がほとんどないので、測定の誤差が少ないのである。
【００３６】
因みに、本発明に係る気体検知装置１の外形寸法は、長さが略１５０ｍｍ程度で、径が略φ１８ｍｍ程度であり、携帯に便利であって、同一現場で採取しようとする複数種の気体を同時的に採取できるのである。
【００３７】
【発明の効果】
以上説明したように、本発明の第１の発明に係る気体採取方法は、少なくとも気体が透過できる内管と、該内管を内部に配設した外管とを使用する特定の気体を検知する方法であって、前記内管の内部には、該内管の内径より小径の棒体を配設させると共に、該棒体と内管壁との間に前記特定の気体を吸収させる液体を収納し、前記内管と前記外管との間隙に空気を導入して、前記液体に前記特定の気体を吸収させて該気体の存在及び濃度を検知することにより、吸収液で気体を吸収する感度を良くして、装置の全体を小さくすることができ、該装置を製造するコストを削減することができると共に、特定の気体を吸収させる液体の量を少なくすることができ、更に、短い時間で特定の気体の存在及び濃度を検知することができるという優れた効果を奏する。
【００３８】
また、本発明の第２の発明に係る気体検知装置は、少なくとも気体が透過できる内管と、該内管を内部に配設した外管とを使用する特定の気体を検知する装置であって、前記内管の内部には、該内管の内径より小径の棒体を配設させると共に、該棒体と内管壁との間に前記特定の気体を吸収させる液体を収納する手段と、前記内管と前記外管との間隙に空気を導入する手段と、前記液体に前記特定の気体を吸収させて該気体の存在及び濃度を検知する手段とを備えたことにより、吸収液で気体を吸収する感度を良くすることができ、装置の全体を小さくして該装置の製造コストを削減でき、装置が小さいために携帯することができ、そのため、同一現場で採取しようとする複数種の気体を同時的に採取できるという優れた効果を奏する。
【図面の簡単な説明】
【図１】本発明の実施の形態に係る気体検知装置を略示的に示した断面図である。
【図２】同気体検知装置から容器に液体を移し替える方法を説明する、気体検知装置と容器とを略示的に示した断面図である。
【図３】同容器に収納した液体が採取した特定の気体の量を測定する簡易比色計を略示的に示した断面図である。
【符号の説明】
１  気体検知装置（拡散スクラバー）
２  内管
３  外管
４ａ、４ｂ  保持部材
５  Ｏリング
６ａ、６ｂ、６ｃ、６ｄ  パッキン
７ａ、７ｂ  封止部材
８  連結部
９  液体路
１０  吸引口
１１  導入口
１２、１３  ホースニップル
１４  棒体
１５  容器（バイアル瓶）
１６  接続タンク
１７  液体
１８  簡易比色計
１９  蓋
２０  ＬＥＤ
２１  光センサー
【図１】
0003622024.tif 000002
【図２】
0003622024.tif 000003
【図３】
0003622024.tif 000004